(57)【要約】【課題】場所に限定されずに梱包された状態においても重力補正をすることができる重力補正機能付きはかり、また、この重力補正機能付きはかりに対して重力補正の為の信号を非接触状態で送信する重力補正指示計、更には、これら両方を備える重力補正はかりシステムを提供する。【解決手段】重力補正指示計からの重力補正信号を補正音信号受信手段３６で受信し、重力補正関連値変換手段３７で使用区域の区分に該当する重力加速度に変換し、重力補正関連値記憶手段３８に記憶し、一方、重量測定手段３５を調整した場所に該当する重力加速度を重力補正補助値入力手段３３から入力し、重力補正補助値記憶手段３４に記憶する。これら記憶された使用区域の区分に該当する重力加速度と重量測定手段３５を調整した場所に該当する重力加速度とに基づいて重量測定手段３５で測定された重量値（測定重量値）を補正重量値演算手段３９で補正演算して補正重量値を求める。【選択図】　　　　図１
2004138570.tif 000002
【特許請求の範囲】
【請求項１】
測定対象を測定することによって重量値を求める重量測定手段と、音による重力補正信号を受信する補正音信号受信手段と、前記補正音信号受信手段で受信された音による重力補正信号を重力補正関連値に変換する重力補正関連値変換手段と、前記重力補正関連値変換手段で変換された重力補正関連値を記憶する重力補正関連値記憶手段と、前記重力補正関連値記憶手段に記憶された重力補正関連値に基づいて前記重量測定手段で求められた重量値を補正する補正重量値演算手段とを備える重力補正機能付きはかり。
【請求項２】
前記補正音信号受信手段で音による重力補正信号を受信後に、音による重力補正完了信号を送信する完了音信号送信手段を更に備えることを特徴とする請求項１記載の重力補正機能付きはかり。
【請求項３】
測定対象を測定することによって重量値を求める重量測定手段と、光による重力補正信号を受信する補正光信号受信手段と、前記補正光信号受信手段で受信された光による重力補正信号を重力補正関連値に変換する重力補正関連値変換手段と、前記重力補正関連値変換手段で変換された重力補正関連値を記憶する重力補正関連値記憶手段と、前記重力補正関連値記憶手段に記憶された重力補正関連値に基づいて前記重量測定手段で求められた重量値を補正する補正重量値演算手段とを備える重力補正機能付きはかり。
【請求項４】
前記補正光信号受信手段で光による重力補正信号を受信後に、光による重力補正完了信号を送信する完了光信号送信手段を更に備えることを特徴とする請求項３記載の重力補正機能付きはかり。
【請求項５】
測定対象を測定することによって重量値を求める重量測定手段と、電磁界による重力補正信号を受信する補正電磁界信号受信手段と、前記補正電磁界信号受信手段で受信された電磁界による重力補正信号を重力補正関連値に変換する重力補正関連値変換手段と、前記重力補正関連値変換手段で変換された重力補正関連値を記憶する重力補正関連値記憶手段と、前記重力補正関連値記憶手段に記憶された重力補正関連値に基づいて前記重量測定手段で求められた重量値を補正する補正重量値演算手段とを備える重力補正機能付きはかり。
【請求項６】
前記補正電磁界信号受信手段で電磁界による重力補正信号を受信後に、電磁界による重力補正完了信号を送信する完了電磁界信号送信手段を更に備えることを特徴とする請求項５記載の重力補正機能付きはかり。
【請求項７】
重力補正補助値を入力する重力補正補助値入力手段と、前記重力補正補助値入力手段で入力された重力補正補助値を記憶する重力補正補助値記憶手段とを更に備え、前記補正重量値演算手段は、前記重力補正関連値記憶手段に記憶された重力補正関連値と前記重力補正補助値記憶手段に記憶された重力補正補助値と基づいて前記重量測定手段で求められた重量値を補正することを特徴とする請求項１乃至６のうちいずれか１項に記載の重力補正機能付きはかり。
【請求項８】
重力補正情報を入力する重力補正情報入力手段と、前記重力補正情報入力手段で入力された重力補正情報を重力補正信号に変換する信号化変換手段と、前記信号化変換手段で変換された重力補正信号を音により送信する補正音信号送信手段とを備える重力補正指示計。
【請求項９】
前記補正音信号送信手段で音による重力補正信号を送信後に音による重力補正完了信号を受信する完了音信号受信手段と、前記完了音信号受信手段で音による重力補正完了信号を受信後に重力補正完了情報を報知する完了報知手段とを更に備えることを特徴とする請求項８記載の重力補正指示計。
【請求項１０】
重力補正情報を入力する重力補正情報入力手段と、前記重力補正情報入力手段で入力された重力補正情報を重力補正信号に変換する信号化変換手段と、前記信号化変換手段で変換された重力補正信号を光により送信する補正光信号送信手段とを備える重力補正指示計。
【請求項１１】
前記補正光信号送信手段で光による重力補正信号を送信後に光による重力補正完了信号を受信する完了光信号受信手段と、前記完了光信号受信手段で光による重力補正完了信号を受信後に重力補正完了情報を報知する完了報知手段とを更に備えることを特徴とする請求項１０記載の重力補正指示計。
【請求項１２】
重力補正情報を入力する重力補正情報入力手段と、前記重力補正情報入力手段で入力された重力補正情報を重力補正信号に変換する信号化換手段と、前記信号化変換手段で変換される重力補正信号を電磁界により送信する補正電磁界信号送信手段とを備える重力補正指示計。
【請求項１３】
前記補正電磁界信号送信手段で電磁界による重力補正信号送信後に電磁界による重力補正完了信号を受信する完了電磁界信号受信手段と、前記完了電磁界信号受信手段で電磁界による重力補正完了信号を受信後に重力補正完了情報を報知する完了報知手段とを更に備えることを特徴とする請求項１２記載の重力補正指示計。
【請求項１４】
請求項１記載の重力補正機能付きはかりと、請求項８記載の重力補正指示計とを備え、前記補正音信号送信手段で送信した音による重力補正信号を前記補正音信号受信手段で受信する重力補正はかりシステム。
【請求項１５】
前記補正音信号受信手段で音による重力補正信号を受信後に音による重力補正完了信号を送信する完了音信号送信手段を前記重力補正機能付きはかりに更に備え、前記補正音信号送信手段で音による重力補正信号を送信後に音による重力補正完了信号を受信する完了音信号受信手段と、前記完了音信号受信手段で音による重力補正完了信号を受信後に重力補正完了情報を報知する完了報知手段とを前記重力補正指示計に更に備え、前記完了音信号送信手段で送信した音による重力補正完了信号を前記完了音信号受信手段で受信することを特徴とする請求項１４記載の重力補正はかりシステム。
【請求項１６】
請求項３記載の重力補正機能付きはかりと、請求項１０記載の重力補正指示計とを備え、前記補正音信号送信手段で送信した光による重力補正信号を前記補正光信号受信手段で受信する重力補正はかりシステム。
【請求項１７】
前記補正光信号受信手段で光による重力補正信号を受信後に光による重力補正完了信号を送信する完了光信号送信手段を前記重力補正機能付きはかりに更に備え、前記補正光信号送信手段で光による重力補正信号を送信後に光による重力補正完了信号を受信する完了光信号受信手段と、前記完了光信号受信手段で光による重力補正完了信号を受信後に重力補正完了情報を報知する完了報知手段とを前記重力補正指示計に更に備え、前記完了光信号送信手段で送信した光による重力補正完了信号を前記完了光信号受信手段で受信することを特徴とする請求項１６記載の重力補正はかりシステム。
【請求項１８】
請求項５記載の重力補正機能付きはかりと、請求項１２記載の重力補正指示計とを備え、前記補正音信号送信手段で送信した電磁界による重力補正信号を前記補正音信号受信手段で受信する重力補正はかりシステム。
【請求項１９】
前記補正電磁界信号受信手段で電磁界による重力補正信号を受信後に電磁界による重力補正完了信号を送信する完了電磁界信号送信手段を前記重力補正機能付きはかりに更に備え、前記補正電磁界信号送信手段で電磁界による重力補正信号を送信後に電磁界による重力補正完了信号を受信する完了電磁界信号受信手段と、前記完了電磁界信号受信手段で電磁界による重力補正完了信号を受信後に重力補正完了情報を報知する完了報知手段とを前記重力補正指示計に更に備え、前記完了電磁界信号送信手段で送信した電磁界による重力補正完了信号を前記完了電磁界信号受信手段で受信することを特徴とする請求項１８記載の重力補正はかりシステム。
【発明の詳細な説明】
【０００１】
【発明の属する技術分野】
本発明は、重力加速度に基づく誤差の補正信号を外部から非接触状態で取込んで重力補正を行う重力補正機能付きはかりと、この重力補正機能付きはかりに対して重力加速度に基づく誤差の補正信号を非接触状態で送信する重力補正指示計と、これら重力補正機能付きはかりと重力補正指示計とによって構成される重力補正はかりシステムとに関する。
【０００２】
【従来の技術】
従来の重力補正機能付きはかりは、キーによる入力手段から重力補正情報を入力している（例えば、特許文献１、特許文献２参照。）。
【０００３】
また、ＧＰＳ（　Ｇｌｏｂａｌ　Ｐｏｓｉｔｉｏｎｉｎｇ　Ｓｙｓｔｅｍ　）衛星からの信号に基づいてはかりの位置を特定し、重力補正しているものもある（例えば、特許文献３、特許文献４参照。）。
【０００４】
【特許文献１】
特開２００２−２２８５１７号公報
【特許文献２】
特開２００２−２５０６５４号公報
【特許文献３】
特開２００１−５９７６９号公報
【特許文献４】
特開２００２−２１４０３２号公報
【０００５】
【発明が解決しようとする課題】
しかしながら、キーによる入力手段から重力補正情報を入力する重力補正機能付きはかりは、必ず開梱された状態にして重力補正を行わなければならない。末端ユーザーに商品（重力補正機能付きはかり）が引き渡るまでの間に開梱すると商品価値の低下を招く。したがって、工場から末端ユーザーまでに介在する問屋や販売店等は、末端ユーザーが使用する場所に適合するように重力補正された多くの種類の重力補正機能付きはかりを在庫として過剰に抱えなければならないといった問題があった。
【０００６】
また、ＧＰＳ衛星からの信号に基づき特定した位置から重力補正をする重力補正機能付きはかりは、ビルや倉庫等の電波が遮蔽される建物内部では重力補正できないという問題があった。
【０００７】
そこで、本発明は、上記のような従来の問題点を解決することを目的とするもので、場所に限定されずに梱包された状態においても重力補正をすることができる重力補正機能付きはかりを提供することを課題とする。また、この重力補正機能付きはかりに対して重力補正の為の情報を非接触状態で送信する重力補正指示計を提供することを課題とする。更には、重力補正指示計から場所に限定されずに重力補正の為の情報を重力補正機能付きはかりに非接触状態で送信し、重力補正機能付きはかりが梱包された状態であつても重力補正ができる重力補正はかりシステムを提供することを課題とする。
【０００８】
【課題を解決するための手段】
上記課題を達成するために、本発明の重力補正機能付きはかりは、第一の観点によれば、測定対象を測定することによって重量値を求める重量測定手段と、音による重力補正信号を受信する補正音信号受信手段と、前記補正音信号受信手段で受信された音による重力補正信号を重力補正関連値に変換する重力補正関連値変換手段と、前記重力補正関連値変換手段で変換された重力補正関連値を記憶する重力補正関連値記憶手段と、前記重力補正関連値記憶手段に記憶された重力補正関連値に基づいて前記重量測定手段で求められた重量値を補正する補正重量値演算手段とを備える。
【０００９】
また、前記補正音信号受信手段で音による重力補正信号を受信後に、音による重力補正完了信号を送信する完了音信号送信手段を更に備えることを特徴とする。
【００１０】
また、第二の観点によれば、測定対象を測定することによって重量値を求める重量測定手段と、光による重力補正信号を受信する補正光信号受信手段と、前記補正光信号受信手段で受信された光による重力補正信号を重力補正関連値に変換する重力補正関連値変換手段と、前記重力補正関連値変換手段で変換された重力補正関連値を記憶する重力補正関連値記憶手段と、前記重力補正関連値記憶手段に記憶された重力補正関連値に基づいて前記重量測定手段で求められた重量値を補正する補正重量値演算手段とを備える。
【００１１】
また、前記補正光信号受信手段で光による重力補正信号を受信後に、光による重力補正完了信号を送信する完了光信号送信手段を更に備えることを特徴とする。
【００１２】
また、第三の観点によれば、測定対象を測定することによって重量値を求める重量測定手段と、電磁界による重力補正信号を受信する補正電磁界信号受信手段と、前記補正電磁界信号受信手段で受信された電磁界による重力補正信号を重力補正関連値に変換する重力補正関連値変換手段と、前記重力補正関連値変換手段で変換された重力補正関連値を記憶する重力補正関連値記憶手段と、前記重力補正関連値記憶手段に記憶された重力補正関連値に基づいて前記重量測定手段で求められた重量値を補正する補正重量値演算手段とを備える。
【００１３】
また、前記補正電磁界信号受信手段で電磁界による重力補正信号を受信後に、電磁界による重力補正完了信号を送信する完了電磁界信号送信手段を更に備えることを特徴とする。
【００１４】
また、上記のそれぞれの重力補正機能付きはかりは、重力補正補助値を入力する重力補正補助値入力手段と、前記重力補正補助値入力手段で入力された重力補正補助値を記憶する重力補正補助値記憶手段とを更に備え、前記補正重量値演算手段は、前記重力補正関連値記憶手段に記憶された重力補正関連値と前記重力補正補助値記憶手段に記憶された重力補正補助値と基づいて前記重量測定手段で求められた重量値を補正することを特徴とする。
【００１５】
本発明の重力補正指示計は、第一の観点によれば、重力補正情報を入力する重力補正情報入力手段と、前記重力補正情報入力手段で入力された重力補正情報を重力補正信号に変換する信号化変換手段と、前記信号化変換手段で変換された重力補正信号を音により送信する補正音信号送信手段とを備える。
【００１６】
また、前記補正音信号送信手段で音による重力補正信号を送信後に音による重力補正完了信号を受信する完了音信号受信手段と、前記完了音信号受信手段で音による重力補正完了信号を受信後に重力補正完了情報を報知する完了報知手段とを更に備えることを特徴とする。
【００１７】
また、第二の観点によれば、重力補正情報を入力する重力補正情報入力手段と、前記重力補正情報入力手段で入力された重力補正情報を重力補正信号に変換する信号化変換手段と、前記信号化変換手段で変換された重力補正信号を光により送信する補正光信号送信手段とを備える。
【００１８】
また、前記補正光信号送信手段で光による重力補正信号を送信後に光による重力補正完了信号を受信する完了光信号受信手段と、前記完了光信号受信手段で光による重力補正完了信号を受信後に重力補正完了情報を報知する完了報知手段とを更に備えることを特徴とする。
【００１９】
また、第三の観点によれば、重力補正情報を入力する重力補正情報入力手段と、前記重力補正情報入力手段で入力された重力補正情報を重力補正信号に変換する信号化換手段と、前記信号化変換手段で変換される重力補正信号を電磁界により送信する補正電磁界信号送信手段とを備える。
【００２０】
また、前記補正電磁界信号送信手段で電磁界による重力補正信号送信後に電磁界による重力補正完了信号を受信する完了電磁界信号受信手段と、前記完了電磁界信号受信手段で電磁界による重力補正完了信号を受信後に重力補正完了情報を報知する完了報知手段とを更に備えることを特徴とする。
【００２１】
本発明の重力補正はかりシステムは、第一の観点によれば、上記の第一の観点による重力補正機能付きはかりと、上記の第一の観点による重力補正指示計とを備え、前記補正音信号送信手段で送信した音による重力補正信号を前記補正音信号受信手段で受信する。
【００２２】
また、前記補正音信号受信手段で音による重力補正信号を受信後に音による重力補正完了信号を送信する完了音信号送信手段を前記重力補正機能付きはかりに更に備え、前記補正音信号送信手段で音による重力補正信号を送信後に音による重力補正完了信号を受信する完了音信号受信手段と、前記完了音信号受信手段で音による重力補正完了信号を受信後に重力補正完了情報を報知する完了報知手段とを前記重力補正指示計に更に備え、前記完了音信号送信手段で送信した音による重力補正完了信号を前記完了音信号受信手段で受信することを特徴とする。
【００２３】
また、第二の観点によれば、上記の第二の観点による重力補正機能付きはかりと、上記の第二の観点による重力補正指示計とを備え、前記補正音信号送信手段で送信した光による重力補正信号を前記補正光信号受信手段で受信する。
【００２４】
また、前記補正光信号受信手段で光による重力補正信号を受信後に光による重力補正完了信号を送信する完了光信号送信手段を前記重力補正機能付きはかりに更に備え、前記補正光信号送信手段で光による重力補正信号を送信後に光による重力補正完了信号を受信する完了光信号受信手段と、前記完了光信号受信手段で光による重力補正完了信号を受信後に重力補正完了情報を報知する完了報知手段とを前記重力補正指示計に更に備え、前記完了光信号送信手段で送信した光による重力補正完了信号を前記完了光信号受信手段で受信することを特徴とする。
【００２５】
また、第三の観点によれば、上記の第三の観点による重力補正機能付きはかりと、上記の第三の観点による重力補正指示計とを備え、前記補正音信号送信手段で送信した電磁界による重力補正信号を前記補正音信号受信手段で受信する。
【００２６】
また、前記補正電磁界信号受信手段で電磁界による重力補正信号を受信後に電磁界による重力補正完了信号を送信する完了電磁界信号送信手段を前記重力補正機能付きはかりに更に備え、前記補正電磁界信号送信手段で電磁界による重力補正信号を送信後に電磁界による重力補正完了信号を受信する完了電磁界信号受信手段と、前記完了電磁界信号受信手段で電磁界による重力補正完了信号を受信後に重力補正完了情報を報知する完了報知手段とを前記重力補正指示計に更に備え、前記完了電磁界信号送信手段で送信した電磁界による重力補正完了信号を前記完了電磁界信号受信手段で受信することを特徴とする。
【００２７】
【発明の実施の形態】
以下、本発明の実施の形態について図面を用いて説明する。なお、本発明の重力補正はかりシステムの説明により、本発明の重力補正機能付きはかり及び本発明の重力補正指示計の説明も兼ねて行う。
【００２８】
まず初めに、本発明の重力補正はかりシステムの構成について詳述する。
【００２９】
本発明の重力補正はかりシステムは、本発明の重力補正機能付きはかりと本発明の重力補正指示計とから構成する。そして、この重力補正機能付きはかりの外観を図２及び図３に、その構成を図１に示す。また、この重力補正指示計の外観を図７に、その構成を図６に示す。
【００３０】
重力補正指示計は、電源１、電源スイッチ２、重力補正情報入力手段３、信号化変換手段４、補正音信号送信手段５、送信スイッチ６、完了音信号受信手段７及び完了報知手段８をケース２２に設けることにより構成する。
【００３１】
電源１は、電気系統各部に電力を供給する。電源スイッチ２は、電源１から電気系統各部への電力の供給又は遮断の切替を行う。
【００３２】
重力補正情報入力手段３は、アップボタン９ａ、ダウンボタン９ｂ、確定ボタン９ｃから成る設定スイッチ９を備え、重力補正情報を入力する。より詳述すると、アップボタン９ａでは、重力補正情報を繰り上げながら切替える。ダウンボタン９ｂでは、重力補正情報を繰り下げながら切替える。確定ボタン９ｃでは、アップボタン９ａ又はダウンボタン９ｂにより選択した重力補正情報を確定する。ここで、重力補正情報は、例えば、図９の重力補正区分表（重力補正機能付きはかりを使用するための地域（日本）を重力加速度の大きさに応じて１６の区域に区分した表）に示す使用区域の区分に該当する。なお、重力補正区分表は、重力補正機能付きはかりを使用するための地域が世界中や特定の外国であったり、使用区域の区分が増減させたものであったりしてもよい。
【００３３】
信号化変換手段４は、マイコン１０から成り、重力補正情報入力手段３で入力された重力補正情報を重力補正信号に変換する。より詳述すると、マイコン１０では、確定ボタン９ｃにより確定された重力補正情報を重力補正信号として２進数化する。例えば、重力補正情報として、図９の重力補正区分表に示す使用区域の区分の一つに該当する１１が確定された場合には、１０１１（２）と変換する。
【００３４】
補正音信号送信手段５は、補正送信制御手段１１（マイコン１０）、フィルタ１２、増幅器１３、スピーカ１４から成り、信号化変換手段４で変換された重力補正信号を音により送信する。より詳述すると、補正送信制御手段１１（マイコン１０）では、信号化変換手段４で２進数化された重力補正信号を図１０に示すようなパターンで方形波を出力することにより送信制御する。例えば、重力補正信号が１０１１（２）である場合には、図１０（ａ）の使用区域の区分１１の場合のパターンに示すように、０．２秒有音、０．１秒無音、０．１秒有音、０．２秒無音、０．１秒有音、０．１秒無音、０．１秒有音、０．２秒無音、０．１秒有音、０．２秒無音、０．２秒有音となるように方形波（１ｋＨｚ）を出力する。ここで、最前の０．２秒有音０．１秒無音は重力補正信号の開始データを意味する。最後の０．２秒有音は重力補正信号の終了データを意味する。この間の帯域は重力補正信号の重力補正データを意味し、０．１秒有音０．１秒無音は“０”、０．１秒有音０．２秒無音は“１”を示す。フィルタ１２では、補正送信制御手段１１（マイコン１０）からの方形波（１ｋＨｚ）を正弦波（１ｋＨｚ）に変換する。増幅器１３では、この変換された正弦波（１ｋＨｚ）を増幅する。スピーカ１４では、この増幅された正弦波（１ｋＨｚ）に基づいた音を発する。
【００３５】
送信スイッチ６は、信号化変換手段４で変換された重力補正信号を補正音信号送信手段５から送信するための起動をする。
【００３６】
完了音信号受信手段７は、マイク１５、増幅器１６、フィルタ１７、コンパレータ１８、完了信号判定手段１９（マイコン１０）から成り、重力補正機能付きはかりの完了音信号送信手段４１からの音による重力補正完了信号を受信する。より詳述すると、マイク１５では、音を受信し正弦波とする。増幅器１６では、この正弦波を増幅する。フィルタ１７では、この増幅された正弦波から４ｋＨｚ成分だけを抽出する。コンパレータ１８では、この抽出された４ｋＨｚ成分の正弦波の有無を判断し、４ｋＨｚ成分の正弦波を得た場合だけに方形波を出力する。完了信号判定手段１９（マイコン１０）では、コンパレータ１８から出力された方形波が重力補正機能付きはかりの完了音信号送信手段４１から送信された重力補正完了信号であるかを判定する。例えば、図１１に示すような０．２秒有音、０．１秒無音を３回繰り返すパターンで方形波（４ｋＨｚ）を受信した場合に重力補正完了信号として判定する。
【００３７】
完了報知手段８は、報知制御手段２０（マイコン１０）、表示器２１から成り、完了音信号受信手段７で音による重力補正完了信号を受信後に重力補正完了情報を報知する。より詳述すると、報知制御手段２０（マイコン１０）では、完了信号判定手段１９（マイコン１０）からの重力補正完了信号であるとの判定を受け、重力補正機能付きはかりの重力補正が完了した旨を示す重力補正完了情報を表示するように表示器２１を制御する。表示器２１では、報知制御手段２０の制御に基づいた重力補正完了情報を表示する。
【００３８】
重力補正機能付きはかりは、電源３１、スタートスイッチ３２、重力補正補助値入力手段３３、重力補正補助値記憶手段３４、重量測定手段３５、補正音信号受信手段３６、重力補正関連値変換手段３７、重力補正関連値記憶手段３８、補正重量値演算手段３９、補正重量出力手段４０及び完了音信号送信手段４１をベース４４と載せ台４５とに設けることにより構成する。
【００３９】
電源３１は、乾電池によるもので、セッティング後、直ちに電気系統各部に電力を供給する。スタートスイッチ３２は、重量測定手段３５での測定を初期化（零リセット）する。
【００４０】
重力補正補助値入力手段３３は、アップボタン４２ａ、ダウンボタン４２ｂ、確定ボタン４２ｃから成る設定スイッチ４２を備え、重力補正補助値を入力する。より詳述すると、アップボタン４２ａでは、重力補正補助値を繰り上げながら切替える。ダウンボタン４２ｂでは、重力補正補助値を繰り下げながら切替える。確定ボタン４２ｃでは、アップボタン４２ａ又はダウンボタン４２ｂにより選択した重力補正補助値を確定する。ここで、重力補正補助値は、例えば、重量測定手段３５を調整した場所の重力加速度である。
【００４１】
重力補正補助値記憶手段３４は、ＥＥＰＲＯＭ（Ｅｌｅｃｔｒｉｃａｌｌｙ　Ｅｒａｓａｂｌｅ　Ｐｒｏｇｒａｍｍａｂｌｅ　Ｒｅａｄ　Ｏｎｌｙ　Ｍｅｍｏｒｙ）４３から成り、重力補正補助値入力手段３３で入力された重力補正補助値を記憶する。より詳述すると、確定ボタン４２ｃで確定された重量測定手段３５を調整した場所の重力加速度を記憶する。
【００４２】
重量測定手段３５は、重量センサ４６、増幅器４７、Ａ／Ｄ変換器４８、重量値演算手段４９から成り、測定対象を測定することによって重量値を求める。より詳述すると、公知の重量計の技術のように、ベース４４と載せ台４５との間に設けられた重量センサ４６で載せ台４５に負荷された荷重を検出し、増幅器４７で増幅し、Ａ／Ｄ変換器４８でデジタル化し、重量値演算手段４９で重量値化する。
【００４３】
補正音信号受信手段３６は、マイク５０、増幅器５１、フィルタ５２、コンパレータ５３、補正信号判定手段５４（マイコン５５）から成り、重力補正指示計の補正音信号送信手段５からの音による重力補正信号を受信する。より詳述すると、マイク５０では、音を受信し正弦波とする。増幅器５１では、この正弦波を増幅する。フィルタ５２では、この増幅された正弦波から１ｋＨｚ成分だけを抽出する。コンパレータ５３では、この抽出された１ｋＨｚ成分の正弦波の有無を判断し、１ｋＨｚ成分の正弦波を得た場合だけに方形波（１ｋＨｚ）を出力する。補正信号判定手段５４（マイコン５５）では、コンパレータ５３から出力された方形波が重力補正指示計の補正音信号送信手段５から送信された図１０に示すようなパターンの方形波（１ｋＨｚ）であるかを判定する。例えば、受信した音が、図１０（ａ）の使用区域の区分１１の場合のパターンに示すように、０．２秒有音、０．１秒無音、０．１秒有音、０．２秒無音、０．１秒有音、０．１秒無音、０．１秒有音、０．２秒無音、０．１秒有音、０．２秒無音、０．２秒有音の順に受信した場合には、最前の０．２秒有音０．１秒無音の重力補正信号の開始データと、最後の０．２秒有音の重力補正信号の終了データとから重力補正信号である旨を判定する。
【００４４】
重力補正関連値変換手段３７は、マイコン５５から成り、補正音信号受信手段３６で受信された重力補正信号を重力補正関連値に変換する。より詳述すると、補正信号判定手段５４（マイコン５５）で重力補正信号であると判定された図１０に示すような方形波（１ｋＨｚ）のパターンの重力補正データの部分に基づいて重力補正関連値に変換する。例えば、重力補正データの部分が、図１０（ａ）に示すように、０．１秒有音、０．２秒無音、０．１秒有音、０．１秒無音、０．１秒有音、０．２秒無音、０．１秒有音、０．２秒無音であった場合には、使用区域の区分を示す値１１に変換する。そして、更に、この使用区域の区分１１に該当する重力加速度９．７９６に変換し、これを重力補正関連値とする。
【００４５】
重力補正関連値記憶手段３８は、ＥＥＰＲＯＭ４３から成り、重力補正関連値変換手段３７で変換された重力補正関連値を記憶する。より詳述すると、重力補正関連値変換手段３７（マイコン５５）で変換された使用区域の区分に該当する重力加速度を記憶する。
【００４６】
補正重量値演算手段３９は、重力補正関連値記憶手段３８に記憶された重力補正関連値と重力補正補助値記憶手段３４に記憶された重力補正補助値とに基づいて重量測定手段３５で測定された重量値（測定重量値）を補正演算する。より詳述すると、ＥＥＰＲＯＭ４３に記憶された使用区域の区分に該当する重力加速度及び調整した場所の重力加速度と、重量値演算手段４９で演算された重量値（測定重量値）とを、次に示す数１の式に代入して、補正された重量値（補正重量値）を演算する。
【数１】
2004138570.tif 000003
【００４７】
補正重量出力手段４０は、表示器５６から成り、補正重量値演算手段３９で演算された補正重量値を出力する。
【００４８】
完了音信号送信手段４１は、完了送信制御手段５７（マイコン５５）、ドライバ５８、ブザー５９から成り、補正音信号受信手段３６で音による重力補正信号を受信後に音による重力補正完了信号を送信する。より詳述すると、完了送信制御手段５７（マイコン５５）では、重力補正関連値変換手段３７で重力補正関連値に変換されたことを受け、重力補正完了信号を図１１に示すようなパターンで方形波を出力することにより送信制御する。重力補正完了信号は、例えば、図１１に示すような０．２秒有音、０．１秒無音を３回繰り返すパターンの方形波（４ｋＨｚ）による信号である。ドライバ５８では、完了送信制御手段５７（マイコン５５）からの重力補正完了信号を増幅する。ブザー５９では、ドライバ５８からの増幅された重力補正完了信号に基づいて音（４ｋＨｚ）による重力補正完了信号を送信する。
【００４９】
次に、本発明の重力補正はかりシステムの動作について詳述する。
【００５０】
重力補正はかりシステムのうち、重力補正機能付きはかりの動作についてを、図４の重力補正関連値の登録処理を表すフローチャート、図５の重量の測定と重力補正処理を表すフローチャートに示す。また、重力補正指示計の動作についてを、図８の重力補正情報の送信処理を表すフローチャートに示す。
【００５１】
重力補正指示計は、図８の各ステップ処理において、まず、電源スイッチ２がオンされ、電源１から電気系統各部に電力を供給することから動作を開始する（ステップＳ１）。
【００５２】
続いて、アップボタン９ａ又はダウンボタン９ｂで重力補正情報として図９の重力補正区分表に示す使用区域の区分の一つ（例えば、１１）が選択され、確定ボタン９ｃでそれが確定されると、信号化変換手段４（マイコン１０）によりこの使用区域の区分の一つを２進数化（例えば、１０１１（２））する（ステップＳ２）。
【００５３】
続いて、マイコン１０により送信スイッチ６がオンされているかを判定する（ステップＳ３）。
【００５４】
オンされていない場合（ステップＳ３でＮＯ）には、オンされるまで判定を繰り返す。一方、オンされている場合（ステップＳ３でＹＥＳ）には、補正音信号送信手段５から音による重力補正信号を送信する（ステップＳ４）。具体的には、補正送信制御手段１１（マイコン１０）により信号化変換手段４で２進数化（例えば、１０１１（２））された重力補正信号（例えば、図１０（ａ）に示すような０．２秒有音、０．１秒無音、０．１秒有音、０．２秒無音、０．１秒有音、０．１秒無音、０．１秒有音、０．２秒無音、０．１秒有音、０．２秒無音、０．２秒有音となるような方形波（１ｋＨｚ）のパターン）を出力するように送信制御する。次いで、フィルタ１２によりこの送信制御を受けてこの方形波（１ｋＨｚ）を正弦波（１ｋＨｚ）に変換し、増幅器１３によりこの正弦波（１ｋＨｚ）を増幅し、スピーカ１４によりこの正弦波（１ｋＨｚ）に基づいた音を送信する。
【００５５】
続いて、マイク１５により音を受信し正弦波とし、増幅器１６によりこの正弦波を増幅し、フィルタ１７によりこの正弦波から４ｋＨｚ成分だけを抽出し、コンパレータ１８によりこの４ｋＨｚ成分の正弦波の有無を判断し、４ｋＨｚ成分の正弦波を得た場合だけに方形波（４ｋＨｚ）を完了信号判定手段１９（マイコン１０）に出力する。次いで、完了信号判定手段１９（マイコン１０）により重力補正機能付きはかりの完了音信号送信手段４１からの重力補正完了信号（例えば、図１１に示すような０．２秒有音、０．１秒無音を３回繰り返す方形波（４ｋＨｚ）のパターン）であるかを判定する（ステップＳ５）。
【００５６】
重力補正完了信号でない場合（ステップＳ５でＮＯ）には、ステップＳ４に戻って処理を繰り返す。一方、重力補正完了信号である場合（ステップＳ５でＹＥＳ）には、表示器２１により報知制御手段２０からの制御に基づいた重力補正完了情報（例えば、「重力補正が正常になされるように調整されました。」といったようなメッセージ）を表示する（ステップＳ６）。
【００５７】
続いて、重力補正指示計は、自動的に電源１がオフされ、動作を終了する（ステップＳ７）。
【００５８】
重力補正機能付きはかりは、図４の各ステップ処理において、まず、乾電池がセッティングされ、電気系統各部に電力を供給することから動作を開始する（ステップＴ１）。
【００５９】
続いて、アップボタン４２ａ又はダウンボタン４２ｂで重力補正補助値（例えば、重量測定手段３５を調整した場所の重力加速度）が選択され、確定ボタン４２ｃでそれが確定されると（ステップＴ２）、ＥＥＰＲＯＭ４３に重力補正補助値を記憶する（ステップＴ３）。
【００６０】
続いて、マイク５０により音を受信し正弦波とし、増幅器５１によりこの正弦波を増幅し、フィルタ５２によりこの正弦波から１ｋＨｚ成分だけを抽出し、コンパレータ５３によりこの１ｋＨｚ成分の正弦波の有無を判断し、１ｋＨｚ成分の正弦波を得た場合だけに方形波を補正信号判定手段５４（マイコン５５）に出力する。次いで、補正信号判定手段５４（マイコン５５）により重力補正指示計の補正音信号送信手段５からの重力補正信号（例えば、図１０（ａ）に示すような０．２秒有音、０．１秒無音、０．１秒有音、０．２秒無音、０．１秒有音、０．１秒無音、０．１秒有音、０．２秒無音、０．１秒有音、０．２秒無音、０．２秒有音となるような方形波（１ｋＨｚ）のパターン）であるかを判定する（ステップＴ４）。
【００６１】
重力補正信号でない場合（ステップＴ４でＮＯ）には、ステップＴ４の処理を繰り返す。一方、重力補正信号である場合（ステップＴ４でＹＥＳ）には、重力補正関連値変換手段３７（マイコン５５）により重力補正信号から重力補正関連値（例えば、重力補正データの部分が、図１０（ａ）に示すように、０．１秒有音、０．２秒無音、０．１秒有音、０．１秒無音、０．１秒有音、０．２秒無音、０．１秒有音、０．２秒無音であった場合には、使用区域の区分１１に該当する重力加速度９．７９６）に変換し（ステップＴ５）、ＥＥＰＲＯＭ４３にこの重力補正関連値を記憶する（ステップＴ６）。
【００６２】
続いて、完了音信号送信手段４１から音による重力補正完了信号を送信する（ステップＴ７）。具体的には、完了送信制御手段５７（マイコン５５）により重力補正関連値変換手段３７で重力補正関連値に変換されたことを受け、重力補正完了信号（例えば、図１１に示すような０．２秒有音、０．１秒無音を３回繰り返す方形波（４ｋＨｚ）のパターン）を出力するように送信制御する。次いで、ドライバ５８によりこの重力補正完了信号を増幅する。次いで、ブザー５９によりこの増幅された重力補正完了信号に基づいた音を送信する。
【００６３】
ステップＴ７の後は、ステップＴ４に戻って処理を繰り返す。これにより、常に重力補正関連値の登録の書換えの可能な状態が保たれる。
【００６４】
重力補正機能付きはかりは、図５の各ステップ処理において、まず、スタートスイッチ３２がオンされ、重量測定手段３５での測定を初期化（零リセット）することから動作を開始する（ステップＵ１）。
【００６５】
続いて、図１２に示すように重量値と使用区域の区分とを表示器２１に表示する（ステップＵ２）。使用区域の区分が表示されるので、重力補正機能付きはかりを正確に測定できる場所を利用者に知らしめることができる。
【００６６】
続いて、公知の重量計の如く、ベース４４と載せ台４５との間に設けられた重量センサ４６で載せ台４５に負荷された荷重を検出し、増幅器４７で増幅し、Ａ／Ｄ変換器４８でデジタル化し、重量値演算手段４９で重量値化する（ステップＵ３）。
【００６７】
続いて、補正重量値演算手段３９によりＥＥＰＲＯＭ４３に先に記憶された使用区域の区分に該当する重力加速度（例えば、９．７９６ｍ／ｓ２）及び調整した場所の重力加速度（例えば、９．８０２ｍ／ｓ２）と、重量値演算手段４９で演算された重量値（例えば、６０．００ｋｇ）とを、先に示した数１の式に代入して、補正重量値（例えば、５９．９６ｋｇ）を演算する（ステップＵ４）。
【００６８】
続いて、表示器２１に補正重量値（例えば、５９．９６ｋｇ）を表示し（ステップＵ５）、重力補正指示計の重量値の測定と重力補正処理の動作を終了する（ステップＵ６）。
【００６９】
以上、非接触状態の重力補正指示計と重力補正機能付きはかりとの間を音による信号で通信を行う形態での重力補正はかりシステムについて詳述したが、光又は電磁界による信号で通信を行う形態であっても実施可能である。
【００７０】
光による信号で通信を行う形態での重力補正はかりシステムは、上述した図１に示す重力補正機能付きはかりの構成において、補正音信号受信手段３６と完了音信号送信手段４１とを、図１３に示す補正光信号受信手段７１と図１４に示す完了光信号送信手段７２とに代え、図６に示す重力補正指示計の構成において、完了音信号受信手段７と補正音信号送信手段５とを、図１５に示す完了光信号受信手段７３と図１６に示す補正光信号送信手段７４とに代えた構成とする。
【００７１】
補正光信号受信手段７１は、受光センサ７５、増幅器７６、フィルタ７７、コンパレータ７８、補正信号判定手段５４（マイコン５５）から成り、重力補正指示計の補正光信号送信手段７４からの光による重力補正信号を受信する。より詳述すると、受光センサ７５では、光を受け、増幅器７６、フィルタ７７、コンパレータ７８、補正信号判定手段５４（マイコン５５）では、この受けた光の出力を補正音信号受信手段３６の場合と同様に処理する。
【００７２】
完了光信号送信手段７２は、完了送信制御手段５７（マイコン）、ドライバ７９、発光センサ８０から成り、補正光信号受信手段７１で光による重力補正信号を受信後に光による重力補正完了信号を送信する。より詳述すると、完了送信制御手段５７（マイコン５５）では、完了音信号送信手段４１の場合と同様に処理し、ドライバ７９では、完了送信制御手段５７（マイコン５５）からの重力補正完了信号を増幅し、発光センサ８０では、ドライバ７９からの増幅された重力補正完了信号に基づいて光による重力補正完了信号を送信する。
【００７３】
完了光信号受信手段７３は、受光センサ８１、増幅器８２、フィルタ８３、コンパレータ８４、完了信号判定手段１９（マイコン１０）から成り、重力補正機能付きはかりの完了光信号送信手段７２からの光による重力補正完了信号を受信する。より詳述すると、受光センサ８１では、光を受け、その後、増幅器８２、フィルタ８３、コンパレータ８４、完了信号判定手段１９（マイコン１０）では、完了音信号受信手段７の場合と同様に処理する。
【００７４】
補正光信号送信手段７４は、補正送信制御手段１１（マイコン１０）、ドライバ８５、発光センサ８６から成り、信号化変換手段４で変換された重力補正信号を光により送信する。より詳述すると、補正送信制御手段１１（マイコン１０）では、補正音信号送信手段５の場合と同様に処理し、ドライバ８５では、補正送信制御手段１１（マイコン１０）からの重力補正信号を増幅し、発光センサ８６では、ドライバ８５からの増幅された重力補正信号に基づいて光による重力補正信号を送信する。
【００７５】
電磁界による信号で通信を行う形態での重力補正はかりシステムは、上述した図１に示す重力補正機能付きはかりの構成において、補正音信号受信手段３６と完了音信号送信手段４１とを、図１７に示す補正電磁界信号受信手段９１と図１８に示す完了電磁界信号送信手段９２とに代え、図６に示す重力補正指示計の構成において、完了音信号受信手段７と補正音信号送信手段５とを、図１９に示す完了電磁界信号受信手段９３と図２０に示す補正電磁界信号送信手段９４とに代えた構成とする。
【００７６】
補正電磁界信号受信手段９１は、磁気センサ９５、増幅器９６、補正信号判定手段５４（マイコン５５）から成り、重力補正指示計の補正電磁界信号送信手段９４からの電磁界による重力補正信号を受信する。より詳述すると、磁気センサ９５では、電磁界を受け、増幅器９６では、この受けた電磁界の出力を増幅し、補正信号判定手段５４（マイコン５５）では、この増幅された電磁界の出力を補正音信号受信手段３６の場合と同様に処理する。
【００７７】
完了電磁界信号送信手段９２は、完了送信制御手段５７（マイコン５５）、ドライバ９７、電磁石９８から成り、補正電磁界信号受信手段９１で電磁界による重力補正信号を受信後に電磁界による重力補正完了信号を送信する。より詳述すると、完了送信制御手段５７（マイコン５５）、ドライバ９７では、完了音信号送信手段４１の場合と同様に処理し、電磁石９８では、ドライバ９７からの増幅された重力補正完了信号に基づいて電磁界による重力補正完了信号を送信する。
【００７８】
完了電磁界信号受信手段９３は、磁気センサ９９、増幅器１００、完了信号判定手段１９（マイコン１０）から成り、重力補正機能付きはかりの完了電磁界信号送信手段９２からの電磁界による重力補正完了信号を受信する。より詳述すると、磁気センサ９９では、電磁界を受け、増幅器１００では、この受けた電磁界の出力を増幅し、完了信号判定手段１９（マイコン）では、この増幅された電磁界の出力を完了音信号受信手段７の場合と同様に処理する。
【００７９】
補正電磁界信号送信手段９４は、補正送信制御手段１１（マイコン１０）、ドライバ１０１、電磁石１０２から成り、信号化変換手段４で変換された重力補正信号を電磁界により送信する。より詳述すると、補正送信制御手段１１（マイコン１０）では、補正音信号送信手段５の場合と同様に処理し、ドライバ１０１では、補正送信制御手段１１（マイコン１０）からの重力補正信号を増幅し、電磁石１０２では、この増幅された重力補正信号に基づいて電磁界による重力補正信号を送信する。
【００８０】
なお、上述した形態においては、重力補正指示計の重力補正情報入力手段３から使用区域の区分を入力し、重力補正機能付きはかりの重力補正関連値変換手段３７により使用区域の区分に該当する重力加速度に変換し、重力補正関連値記憶手段３８にこの使用区域の区分に該当する重力加速度を記憶することを事例としたが、重力補正情報入力手段３から電話番号、郵便番号、住所、経緯、高度、都道府県市町村、重力加速度その他重力補正機能付きはかりの使用する場所が特定できる情報を重力補正情報として入力し、重力補正関連値変換手段３７により使用する場所の重力加速度に変換し、重力補正関連値記憶手段３８にこの使用する場所の重力加速度を記憶することにしても同様に実施可能である。
【００８１】
また、重力補正関連値変換手段３７により使用区域の区分に該当する重力加速度に変換し、重力補正関連値記憶手段３８にこの使用区域の区分に該当する重力加速度を記憶し、重力補正補助値入力手段３３から重量測定手段３５を調整した場所を入力し、重力補正補助値記憶手段３４にこの重量測定手段３５を調整した場所に該当する重力加速度を記憶し、補正重量値演算手段３９によりこれら記憶された使用区域の区分に該当する重力加速度と重量測定手段３５を調整した場所に該当する重力加速度とに基づいて重量測定手段３５で測定された重量値（測定重量値）を補正演算して補正重量値を求めることを事例としたが、重力補正関連値変換手段３７により補正信号判定手段５４からの重力補正機能付きはかりの使用する場所と、予め決められている重量測定手段３５を調整した場所とを、次に示す数２の式に代入して重力補正関連値として重力補正係数に変換し、重力補正関連値記憶手段３８にこの重力補正係数を記憶し、補正重量値演算手段３９によりこの記憶された重力補正係数に基づいて、次に示す数３の式に代入して、重量測定手段３５で測定された重量値（測定重量値）を補正演算して補正重量値を求めることにしても実施可能である。重力補正補助値入力手段３３と重力補正補助値記憶手段３４とは、必須構成としなくともよい。また、
【数２】
2004138570.tif 000004
【数３】
2004138570.tif 000005
【００８２】
上述したように、重力補正はかりシステムは、重力補正指示計の重力補正情報入力手段３で重力補正情報を入力し、信号化変換手段４でこの重力補正情報を重力補正信号に変換し、補正音信号送信手段５（又は補正光信号送信手段７４、又は補正電磁界信号送信手段９４）でこの重力補正信号を音（又は光、又は電磁界）により送信し、重力補正指示計とは非接触状態である重力補正機能付きはかりの補正音信号受信手段３６（又は補正光信号受信手段７１、又は補正電磁界信号受信手段９１）でこの音（又は光、又は電磁界）による重力補正信号を受信し、重力補正関連値変換手段３７でこの音（又は光、又は電磁界）による重力補正信号を重力補正関連値に変換し、重力補正関連値記憶手段３８でこの重力補正関連値を記憶しておき、この後、重量測定手段３５で測定対象の重量値を測定し、補正重量値演算手段３９でこの測定された重量値を先に記憶している重力補正関連値に基づいて補正し、補正した重量値を求める。これによると、問屋や販売店等は、最終ユーザーに販売する梱包状態（補正光信号受信手段７１を有する重力補正機能付きはかりの場合には、光が通るように透明の窓を備える）にある重力補正機能付きはかりについて、重力補正指示計を用いて、倉庫や店頭において、最終ユーザーの使用する場所に応じた重力補正を梱包状態を開梱することなく行うことができる。
【００８３】
また、重力補正はかりシステムは、重力補正指示計の補正音信号送信手段５（又は補正光信号送信手段７４、又は補正電磁界信号送信手段９４）から音（又は光、又は電磁界）による重力補正信号を送信した後に、重力補正機能付きはかりの補正音信号受信手段３６（又は補正光信号受信手段７１、又は補正電磁界信号受信手段９１）でこの音（又は光、又は電磁界）による重力補正信号を受信し、完了音信号送信手段４１（又は完了光信号送信手段７２、又は完了電磁界信号送信手段９２）で音（又は光、又は電磁界）による重力補正完了信号を送信し、重力補正指示計の完了音信号受信手段７（又は完了光信号受信手段７３、又は完了電磁界信号受信手段９３）でこの音（又は光、又は電磁界）による重力補正完了信号を受信し、完了報知手段８で重力補正完了情報を報知する。これによると、重力補正が確実に行われたことを知ることができる。
【００８４】
【発明の効果】
以上説明したように、本発明の重力補正指示計は、重力補正情報入力手段から入力した重力補正情報を補正音信号送信手段（又は補正光信号送信手段、又は補正電磁界信号送信手段）から重力補正機能付きはかりに対して非接触状態で送信することができ、更には、完了報知手段から重力補正情報が送信されたことを知ることができる。
【００８５】
また、重力補正機能付きはかりは、補正音信号受信手段（又は補正光信号受信手段、又は補正電磁界信号受信手段）により非接触状態で重力補正情報を受信して重量測定手段で測定した測定対象の重量値を梱包された状態にて重力補正を行うことができる。
【００８６】
また、重力補正はかりシステムは、問屋や販売店等が重力補正指示計を用いれば、倉庫や店頭において、最終ユーザーの使用する場所に応じた重力補正を梱包状態を開梱することなく行うことができる。
【図面の簡単な説明】
【図１】重力補正機能付きはかりの構成を示すブロック図である。
【図２】重力補正機能付きはかりの外観を示す斜視図である。
【図３】重力補正機能付きはかりの外観を示す斜視図である。
【図４】重力補正機能付きはかりの重力補正関連値の登録処理を示すフローチャートである。
【図５】重力補正機能付きはかりの重量の測定と重力補正処理を示すフローチャートである。
【図６】重力補正指示計の構成を示すブロック図である。
【図７】重力補正指示計の外観を示す斜視図である。
【図８】重力補正指示計の重力補正情報の送信処理を示すフローチャートである。
【図９】重力補正区分表である。
【図１０】重力補正信号のパターンであり、（ａ）は使用区域の区分１１の場合を示し、（ｂ）は使用区域の区分３の場合を示す。
【図１１】重力補正完了信号のパターンである。
【図１２】重量値と使用区域の区分とを示す表示例である。
【図１３】重力補正機能付きはかりの一部を構成する補正光信号受信手段である。
【図１４】重力補正機能付きはかりの一部を構成する完了光信号送信手段である。
【図１５】重力補正指示計の一部を構成する完了光信号受信手段である。
【図１６】重力補正指示計の一部を構成する補正光信号送信手段である。
【図１７】重力補正機能付きはかりの一部を構成する補正電磁界信号受信手段である。
【図１８】重力補正機能付きはかりの一部を構成する完了電磁界信号送信手段である。
【図１９】重力補正指示計の一部を構成する完了電磁界信号受信手段である。
【図２０】重力補正指示計の一部を構成する補正電磁界信号送信手段である。
【符号の説明】
１、３１　電源
２　電源スイッチ
３　重力補正情報入力手段
４　信号化変換手段
５　補正音信号送信手段
６　送信スイッチ
７　完了音信号受信手段
８　完了報知手段
９、４２　設定スイッチ
９ａ、４２ａ　アップボタン
９ｂ、４２ｂ　ダウンボタン
９ｃ、４２ｃ　確定ボタン
１０、５５　マイコン
１１　補正送信制御手段
１２、１７、５２、７７、８３　フィルタ
１３、１６、４７、５１、７６、８２、９６、１００　増幅器
１４　スピーカ
１５、５０　マイク
１８、５３、７８、８４　コンパレータ
１９　完了信号判定手段
２０　報知制御手段
２１、５６　表示器
２２　ケース
３２　スタートスイッチ
３３　重力補正補助値入力手段
３４　重力補正補助値記憶手段
３５　重量測定手段
３６　補正音信号受信手段
３７　重力補正関連値変換手段
３８　重力補正関連値記憶手段
３９　補正重量値演算手段
４０　補正重量出力手段
４１　完了音信号送信手段
４３　ＥＥＰＲＯＭ
４４　ベース
４５　載せ台
４６　重量センサ
４８　Ａ／Ｄ変換器
４９　重量値演算手段
５４　補正信号判定手段
５７　完了送信制御手段
５８、７９、８５、９７、１０１　ドライバ
５９　ブザー
７１　補正光信号受信手段
７２　完了光信号送信手段
７３　完了光信号受信手段
７４　補正光信号送信手段
７５、８１　受光センサ
８０、８６　発光センサ
９１　補正電磁界信号受信手段
９２　完了電磁界信号送信手段
９３　完了電磁界信号受信手段
９４　補正電磁界信号送信手段
９５、９９　磁気センサ
９８、１０２　電磁石
【図１】
2004138570.tif 000006
【図２】
2004138570.tif 000007
【図３】
2004138570.tif 000008
【図４】
2004138570.tif 000009
【図５】
2004138570.tif 000010
【図６】
2004138570.tif 000011
【図７】
2004138570.tif 000012
【図８】
2004138570.tif 000013
【図９】
2004138570.tif 000014
【図１０】
2004138570.tif 000015
【図１１】
2004138570.tif 000016
【図１２】
2004138570.tif 000017
【図１３】
2004138570.tif 000018
【図１４】
2004138570.tif 000019
【図１５】
2004138570.tif 000020
【図１６】
2004138570.tif 000021
【図１７】
2004138570.tif 000022
【図１８】
2004138570.tif 000023
【図１９】
2004138570.tif 000024
【図２０】
2004138570.tif 000025